(57)【特許請求の範囲】
【請求項１】
釣り竿に装着される竿装着部を有するスピニングリールのリール本体に回転自在に装着されたロータの糸繰り出し方向の回転を規制するスピニングリールのロータ規制装置であって、
前記ロータの糸繰り出し方向の回転に連動して回転する制動部材と、
先端に前記竿装着部と接離する第１操作部が設けられ、前記リール本体に移動自在に装着され、前記第１操作部を前記装着部に接近する方向に操作すると基端が前記制動部材に接触して前記ロータを制動する制動レバーと、
前記ロータの糸繰り出し方向の回転を第１規制状態と第２規制状態とに切り換え可能な規制手段と、
前記制動レバーより前記竿装着部から離反した先端に前記装着部と接離する第２操作部が設けられ、先端より基端側が前記制動レバーと並べて配置された状態で前記リール本体に移動自在に装着され、前記規制手段の規制状態を切り換える規制レバーとを備え、
前記制動レバー及び規制レバーのいずれか一方の一部が他方に囲まれており、
前記制動レバーは、揺動中心より先端側に先端に向いた第１開口を有し、
前記規制レバーは、前記制動レバーと並べて配置され前記リール本体に揺動自在に装着されたレバー部材と、前記レバー部材の先端に前記第１開口を貫通して延びた先端に前記第２操作部が設けられた操作部材とを有する、スピニングリールのロータ規制装置。
【請求項２】
前記制動レバー及び規制レバーは、前記リール本体に同一揺動軸芯回りに揺動自在に装着されている、請求項１に記載のスピニングリールのロータ規制装置。
【請求項３】
前記制動レバーは、前記第１開口より基端側に前記竿装着部に向いた第２開口を有し、
前記操作部材は、前記第２開口から前記竿装着部に向けて突出し、突出部分に第３操作部が設けられている、請求項１又は２に記載のスピニングリールのロータ規制装置。
【請求項４】
前記第１操作部と前記第２操作部とは、前記竿装着部と接離する方向に間隔を隔てて対向して配置されている、請求項３に記載のスピニングリールのロータ規制装置。
【請求項５】
前記制動レバーは、前記第１開口を形成するために取り付けられたＵ字状部材を有する、請求項１から４のいずれかに記載のスピニングリールのロータ規制装置。
【請求項６】
前記規制手段は、前記規制レバーの操作により前記制動部材に接触する所定制動位置と前記制動部材から離反する制動解除位置とに移動する所定制動機構を有している、請求項１から５のいずれかに記載のスピニングリールのロータ規制装置。
【請求項７】
前記規制手段は、前記規制レバーの操作により前記ロータの逆転を禁止する前記第１規制状態と前記ロータの逆転を許可する前記第２規制状態とに切り換わる逆転防止機構を有している、請求項１から５のいずれかに記載のスピニングリールのロータ規制装置。
【発明の詳細な説明】
【０００１】
【発明の属する技術分野】
本発明は、規制装置、特に、釣り竿に装着される竿装着部を有するスピニングリールのリール本体に回転自在に装着されたロータの糸繰り出し方向の回転を規制するスピニングリールのロータ規制装置に関する。
【０００２】
【従来の技術】
一般に、磯釣りを行う場合、制動レバーによってロータが制動操作される逆転制動機構を有するレバーブレーキ型のスピニングリールがしばしば使用される。レバーブレーキ型のスピニングリールは、ロータを張力に応じて逆転させて魚と簡単にやりとりするために使用される。
【０００３】
この種のレバーブレーキ型のスピニングリールにおいて、制動状態が解除される中立位置と、中立位置より釣り竿から離反し所定の制動状態を維持する制動位置とに制動レバーを保持可能なスピニングリールが知られている。また、逆転制動機構に加えて逆転禁止機構を有するものでは、制動状態が解除されかつ逆転許可される中立位置と、中立位置より釣り竿から離反し制動状態が解除されかつ逆転が禁止される逆転禁止位置とに制動レバーを保持可能なスピニングリールも知られている。
【０００４】
このようなスピニングリールでは、制動レバーで制動操作を行う際には、たとえば人差し指の腹で制動レバーの下面を装着部に接近する方向に引き込み、回転規制操作を行う際には人差し指の背で制動レバーの上面を押し込む操作を行う。このように制動レバーにより切換操作を行えるので、釣り竿を持つ片手で手を離すことなく逆転制動機構や逆転禁止機構等の逆転規制機構の切換操作を行え、規制操作が容易になる。
【０００５】
【発明が解決しようとする課題】
前記従来の構成では、いずれの場合にも、制動レバーを中立位置と中立位置より釣り竿から離反した規制位置（制動位置又は逆転禁止位置）とに切り換え操作してロータの逆転に対する規制解除及び規制を行っている。このため、中立位置から規制位置まで押し込まなければならない分、制動レバー全体の操作ストロークが大きくなる。操作ストロークが大きくなると、釣り人は、規制操作の際には、釣り竿を持った手の指で中立位置からさらに釣り竿から離れた規制位置に向けて制動レバーを操作しなければならず、規制操作を行いにくくなる。また、ストロークが増えた分の空間が釣り竿の装着部とロータの間の空間に必要になり、リール自体の大型化を招くことになる。
【０００６】
そこで、操作ストロークを小さくするため、制動操作と規制操作とを並べて配置された別々のレバーで操作することが考えられる。たとえば、制動レバーと並べて制動レバーと同じ揺動軸芯に補助レバーを設け、補助レバーで規制操作を行うことが考えられる。このように別々のレバーを用いて制動操作と規制操作とを行えるようにすると、それぞれレバーが別々に動作するので、レバーの操作ストロークを小さくすることができる。しかし、２つのレバーを併設するとその隙間に釣り糸が入り込み糸カミするおそれがある。
【０００７】
本発明の課題は、スピニングリールのロータ制動装置において、操作ストロークを増やすことなく制動操作と回転規制操作を簡単に行えかつ糸カミを生じにくくすることにある。
【０００８】
【課題を解決するための手段】
発明１に係るスピニングリールのロータ規制装置は、釣り竿に装着される竿装着部を有するスピニングリールのリール本体に回転自在に装着されたロータの糸繰り出し方向の回転を規制する装置であって、制動部材と、制動レバーと、規制手段と、規制レバーとを備えている、制動部材は、ロータの糸繰り出し方向の回転に連動して回転する部材である。制動レバーは、先端に竿装着部と接離する第１操作部が設けられ、リール本体に移動自在に装着され、第１操作部を装着部に接近する方向に操作すると、基端が制動部材に接触してロータを制動するレバーである。規制手段は、ロータの糸繰り出し方向の回転を第１規制状態と第２規制状態とに切り換え可能な手段である。規制レバーは、制動レバーより竿装着部から離反した先端に装着部と接離する第２操作部が設けられ、先端より基端側が制動レバーと並べて配置された状態でリール本体に移動自在に装着され、規制手段の規制状態を切り換えるレバーである。この制動レバー及び規制レバーのいずれか一方の一部が他方に囲まれている。制動レバーは、揺動中心より先端側に先端に向いた第１開口を有する。規制レバーは、制動レバーと並べて配置されリール本体に揺動自在に装着されたレバー部材と、レバー部材の先端に第１開口を貫通して延びた先端に記第２操作部が設けられた操作部材とを有する。
【０００９】
このロータ規制装置では、制動レバーの第１操作部を装着部に接近する方向に操作すると、制動部材に制動レバーの基端が接触してロータの糸繰り出し方向の回転が制動される。このときの制動力は制動レバーに入れる力の度合いにより変化する。また、規制レバーを装着部と接離する方向に操作すると、規制手段の規制状態が第１規制状態と第２規制状態との間で切り換わる。このため、規制操作に要するストロークと制動操作に要するストロークとが別になり、全体のストロークを小さくすることができ、制動操作と回転規制操作を簡単に行える。また、この規制レバーの先端より基端側が制動レバーと並べて配置され、かつ規制レバー及び制動レバーのいずれか一方の一部が他方で囲まれた状態であるので、制動レバーと規制レバーとの間に隙間が生じても囲まれた部分より基端側に釣り糸が入らなくなる。このため、釣り糸が両レバーの隙間に噛み込む糸カミが生じにくくなる。
【００１０】
また、先端に向いた第１開口を操作部材が貫通する部分で制動レバーが規制レバーを囲んでいる。ここでは、第１開口に操作部材を貫通させるだけの簡単な構造で規制レバーの周囲を制動レバーで囲むことができる。
【００１１】
発明２に係るスピニングリールのロータ規制装置は、発明１に記載のリールにおいて、制動レバー及び規制レバーは、リール本体に同一揺動軸芯回りに揺動自在に装着されている。この場合には、両レバーが同一揺動軸芯回りに装着されているので、リール本体への装着構造が容易になる。
【００１２】
発明３に係るスピニングリールのロータ規制装置は、発明１又は２に記載の装置において、制動レバーは、第１開口より基端側に竿装着部に向いた第２開口を有し、操作部材は、第２開口から竿装着部に向けて突出し、突出部分に第３操作部が設けられている。この場合には、第２操作部加えて第３操作部が操作部材に設けられているので、制動操作と同じ指や異なる指のいずれか好きな方で規制操作を行える。
【００１３】
発明４に係るスピニングリールのロータ規制装置は、発明３に記載の装置において、第１操作部と第２操作部とは、竿装着部と接離する方向に間隔を隔てて対向して配置されている。この場合には、第１操作部と第２操作部とを同じ指の背と腹とで操作できるとともに、第２操作部により操作する指を回転するロータから保護することができる。
【００１４】
発明５に係るスピニングリールのロータ規制装置は、発明１から４のいずれかに記載の装置において、制動レバーは、第１開口を形成するために取り付けられたＵ字状部材を有する。この場合には、Ｕ字状部材により第１開口を形成できるので、制動レバーに第１開口を容易に形成できる。また、組立時に規制レバーを通した後にＵ字状部材を装着できるので、組立しやすくなる。
【００１５】
発明６に係るスピニングリールのロータ規制装置は、発明１から５のいずれかに記載の装置おいて、規制手段は、規制レバーの操作により制動部材に接触する第１規制状態である所定制動位置と制動部材から離反する第２規制状態である制動解除位置とに移動する所定制動機構を有している。この場合には、規制レバーが操作されると所定制動機構が所定制動位置と制動解除位置との間で移動し、所定制動位置で制動部材に接触する。これにより、ロータの糸繰り出し方向の回転が所定の制動力で制動される。ここでは、制動部材を用いてロータを規制しているので、規制手段の構成が簡素になる。
【００１６】
発明７に係るスピニングリールのロータ規制装置は、発明１から５のいずれかに記載の装置において、規制手段は、規制レバーの操作によりロータの逆転を禁止する第１規制状態とロータの逆転を許可する第２規制状態とに切り換わる逆転防止機構を有している。この場合には、規制レバーが操作されると逆転防止機構が逆転を禁止する第１規制状態と逆転を許可する第２規制状態とで切り換わる。これにより、ロータの糸繰り出し方向の回転が禁止される。ここでは、ロータの逆転を禁止できるので、仕掛けが根掛かりしても釣り糸を切断しやすくなる。
【００１７】
【発明の実施の形態】
〔実施形態１〕
〔全体構成〕
図１に示す本発明の一実施形態を採用したスピニングリールは、ハンドル１を備えたリール本体２と、リール本体２の前部に回転自在に支持されたロータ３と、ロータ３の前部に配置された釣り糸を巻き取るスプール４とを備えている。
【００１８】
リール本体２は、例えば合成樹脂製又は金属製である。リール本体２は、釣り竿に装着される前後に長い装着部２ｃと、装着部２ｃと間隔を隔てて配置されたリールボディ２ａと、装着部２ｃとリールボディ２ａとを連結する脚部２ｂとを有している。リールボディ２ａの内部には、ロータ３を回転させるためのロータ駆動機構５と、ロータ３の糸繰り出し方向の回転（逆転）を制動するためのレバーブレーキ機構６と、スプール４を回転軸芯に沿って前後方向に移動させてスプール４に釣り糸を均一に巻き取るためのオシレーティング機構７とが設けられている。
【００１９】
ロータ３は例えば合成樹脂又は金属製であり、リール本体２に回転自在に支持されている。ロータ３は、円筒部３ａと、円筒部３ａの側方に互いに対向して設けられた第１アーム部３ｂ及び第２アーム部３ｃとを有している。円筒部３ａの前壁３ｄの中央部には貫通孔３ｅを有するボス部３ｆが形成されている。この貫通孔３ｅにスプール軸８及びピニオンギア１２（後述）が貫通している。第１アーム部３ｂの先端と第２アーム部３ｃの先端部とには、揺動自在にベールアーム９が設けられている。このベールアーム９により釣り糸をスプール４に案内する。
【００２０】
スプール４は例えば金属製であり、ロータ３の第１アーム部３ｂと第２アーム部３ｃとの間に配置されている。スプール４はスプール軸８の先端に着脱自在かつ回転不能に装着されている。スプール４は、外周に釣り糸が巻かれる糸巻き胴部４ａと、糸巻き胴部４ａの後部に一体形成されたスカート部４ｂと、糸巻き胴部４ａの前端に固定されたフランジ部４ｃとを有している。スプール軸８は、オシレーティング機構７により前後方向に移動可能である。
【００２１】
ロータ駆動機構５は、ハンドル１が固定されたハンドル軸１０とともに回転するマスターギア１１と、このマスターギア１１に噛み合うピニオンギア１２とを有している。ハンドル軸１０は、リール本体２に回転自在に支持されている。ピニオンギア１２は筒状に形成されており、その前部１２ａはロータ３中心部を貫通してスプール４側に延びている。この前部１２ａで、ロータ３はナット１３によりピニオンギア１２に回転不能に固定されている。ピニオンギア１２は、中間部と後部とで軸受１４，１５によりリール本体２に回転自在に支持されている。
【００２２】
〔レバーブレーキ機構の構成〕
レバーブレーキ機構６は、図１〜図３に示すように、制動部２０と、制動部２０を制動操作するための制動レバー２１と、制動部２０を所定制動状態に操作するための補助レバー（規制レバーの一例）２２と、制動レバー２１を装着部２ｃから離反する方向に付勢するコイルばね２３と、補助レバー２２により所定制動状態と制動解除状態とに切換可能な所定制動機構２４とを有している。
【００２３】
制動部２０は、図１に示すように、制動レバー２１により制動される制動部本体３１と、制動部本体３１をロータ３の糸繰り出し方向の回転にのみ連動して回転させるワンウェイクラッチ３２とを有している。
【００２４】
制動部本体３１は、ロータ３の内周側にロータ３と同心に配置された制動円筒４０と、制動円筒４０を傾動自在かつ回転不能に支持する回転円筒４１と、リールボディ２ａに設けられた円弧状の突出部４２とを有している。
【００２５】
制動円筒４０は薄肉の有底円筒形状の金属製円筒であり、その周部の先端の周接部４０ａが外周側に配置された突出部４２と内周側に配置された制動レバー２１の圧接部２１ｄ（後述）との間に配置される。また、制動レバー２１の圧接部２１ｄと異なる周方向位置で周接部４０ａの内周側に所定制動機構２４の圧接部２７ａ（後述）が配置されている。制動円筒４０はその中心部に鋸歯形状の内歯部（図示せず）を有している。回転円筒４１は、大径部４１ａと小径部４１ｂとを有する段付きの金属製円筒部材であり、大径部４１ａに内歯部に噛み合う外歯部（図示せず）が形成されている。この外歯部にワンウェイクラッチ３２及び制動円筒４０が回転不能に係止されている。大径部４１ａの内側には、ピニオンギア１２との間に軸受４３が配置されている。小径部４１ｂの外側にはリールボディ２ａとの間に軸受４４が配置されている。このため、回転円筒４１は、前部が軸受４３によりピニオンギア１２に回転自在に支持され、後部が軸受４４によりリールボディ２ａに回転自在に支持されている。また、回転円筒４１はワンウェイクラッチ３２によりロータ３の糸繰り出し方向の回転には一体で回転し、巻き取り時にはロータ３の回転力が作用しないようロータ３に連結されている。
【００２６】
制動円筒４０とワンウェイクラッチ３２との間には傾動した制動円筒４０を元の姿勢に戻すための円錐コイルばね４５が配置されている。
【００２７】
図２に示すように、突出部４２には、円弧状の合成樹脂製の制動シュー４２ａが装着されている。ワンウェイクラッチ３２は外輪遊転型のものであり、ロータ３の円筒部３ａの内周面に回転不能に外輪が連結され、内輪が回転円筒４１に回転不能に連結されている。
【００２８】
図１に示すように、制動レバー２１は、リール本体２に装着された支持軸３３によりリール本体２に揺動自在に支持されている。また、前述したように、制動レバー２１は、コイルばね２３により装着部２ｃと離反する方向に付勢されている。制動レバー２１は、図５に示す制動解除位置と、制動解除位置より装着部２ｃに接近した図７に示す制動位置との間で揺動自在にリール本体２に取り付けられている。
【００２９】
制動レバー２１は、支持軸３３による支持部分から湾曲して前方に延びる制動操作部２１ａと、支持部分から湾曲して斜め前下方に延びる制動作用部２１ｂとを有している。制動操作部２１ａは、支持部分から装着部２ｃに沿ってベールアーム９の外方付近まで前方に延びた後、径方向外方に向けて延び、さらに先端が前方に向けて湾曲した形状である。この湾曲部分から前方が釣り竿を握る手の人差し指で操作可能な第１操作部２１ｃとなっている。第１操作部２１ｃは、制動レバー２１の揺動により図１に示す第１位置から装着部２ｃに接近する方向に移動可能である。制動操作部２１ａは、脚部２ｂから前方部分にかけて、径方向外方に延びる部分まで幅が大きくなっており、その幅広部分２１ｈには、装着部２ｃに向けて略矩形の開口２１ｅが形成されている。この開口２１ｅから後述する補助レバー２２の操作部材２６が装着部２ｃに向かって上方に露出している。また、幅広部分２１ｈから前方に向けて開口２１ｇが形成されている。この開口２１ｇを貫通して前方に向かって操作部材２６が突出している。この開口２１ｇは、制動レバー２１と、補助レバー２２との隙間から釣り糸が侵入して糸カミが生じるのを防止するために設けられている。
【００３０】
制動作用部２１ｂの先端は、制動部２０の内周側に対向して配置され、そこには、図５に示すように、制動部２０に接触可能な圧接部２１ｄが着脱自在に取り付けられている。圧接部２１ｄは合成樹脂製であり、制動レバー２１の揺動により制動部２０を外方に配置されたリール本体２側に押圧する。制動レバー２１は、何も操作されないとコイルばね２３により付勢されて、図１に示すように、制動解除位置に配置されて圧接部２１ｄが制動部２０から離反している。
【００３１】
コイルばね２３は、制動レバー２１の制動操作部２１ａとリール本体２の脚部２ｂとの間に圧縮状態で配置されている。コイルばね２３は、制動レバー２１を制動解除側に向けて図１反時計回りに付勢している。これにより、制動レバー２１から手を離すとロータ３は、制動解除状態になる。
【００３２】
補助レバー２２は、所定制動機構２４によりロータ３を図５及び図７に示す制動解除状態と図６に示す所定制動状態とに切り換える規制操作を行うためのものである。この実施形態１では、制動解除状態が、たとえば第２規制状態に相当し、所定制動状態が、たとえば第１規制状態に相当する。補助レバー２２は、図５及び図７に示すように、第２操作部２６ａ（後述）が装着部２ｃに接近した第２位置に配置される制動解除位置と、図６に示すように、第２操作部２６ａが装着部２ｃから離反した第３位置に配置される所定制動位置との間で揺動する。補助レバー２２は、図２から図４に示すように、支持軸３３回りに揺動自在にリール本体２に支持された第１レバー部材２５と、第１レバー部材２５に装着された操作部材２６とを有している。
【００３３】
第１レバー部材２５は、制動レバー２１の図５手前側側面に並べて配置されている。第１レバー部材２５は、支持部分から制動レバー２１に沿って上前方及び下前方に延びており、上方に延びた先端にねじ２９により操作部材２６が固定されている。第１レバー部材２５の先端は制動レバー２１の制動操作部２１ａの幅広部分２ｈの開口２１ｅ内に位置している。また、支持部分より斜め前下方に延びた第１レバー部材２５の基端は、制動部２０の後方に対向して配置されている。レバー本体２５ａの基端側の途中には、所定制動機構２４の第２レバー部材２７の先端が係止される矩形の係止孔２５ｃが形成されている。係止孔２５ｃは、第２レバー部材２７の先端部の横断面積より大きい面積の矩形孔である。
【００３４】
操作部材２６は、先端に第２操作部２６ａを有し、基端側（図５右側）に第３操作部２６ｂを有している。第２操作部２６ａは、装着部２ｃから離反する側に第１操作部２１ｃと対向して配置され、第３操作部２６ｂは、制動レバー２１の第１操作部２１ｃより基端側に配置されている。このため、第２操作部２６ａは、釣り竿を握る手の人差し指で押し込み操作可能であり、第３操作部２６ｂは、釣り竿を握る手の中指で押し込み操作可能である。とくに、第１操作部２１ｃと第２操作部２６ａは、同じ指による引き込み操作と押し込み操作とが可能である。第２操作部２６ａは、補助レバー２１の揺動により図１及び図５に示す第２位置と図６及び図７に示す第３位置とに配置される。
【００３５】
操作部材２６は、制動操作部２１ａの幅広部分２１ｈに設けられた開口２１ｅから装着部２ｃに向けて上方に突出して配置されている。この突出部分に第３操作部２６ｂが設けられている。操作部材２６は、開口２１ｅの下部から開口２１ｇを貫通して前方に延びており、延びた先端に第２操作部２６ａが形成されている。このように第２操作部２６ａが開口２１ｇを貫通して前方に延びているので、第２操作部２６ａの周囲、特にベールアーム９に近接する部分が開口２１ｅにより囲まれる。このため、釣り糸が糸ふけによりこの部分に接触しても操作部材２６と制動レバー２１との隙間への釣り糸の噛み込み（糸カミ）が生じにくくなる。
【００３６】
また、第３操作部２６ｂの先端には、制動操作部２１ａの上面に係止される係止部２６ｃが僅かに凹んで形成されている。係止部２６ｃは、補助レバー２２が制動解除位置にあるとき、制動操作部２１ａの開口２１ｅの前部上面と間隔を隔てて配置されている。また、補助レバー２２が所定制動位置に配置されると、図４に示すように、第３操作部２６ｂの係止部２６ｃは、制動操作部２１ａの開口２１ｅの前部上面にほぼ接触する。これにより、補助レバー２２は、所定制動位置にあるとき、制動レバー２１の装着部２ｃに接近する方向の揺動に連動して制動解除位置に揺動する。
【００３７】
所定制動機構２４は、第１レバー部材２５と連動して揺動する第２レバー部材２７と、第２レバー部材２７を制動解除位置と所定制動位置とで保持するトグルばね２８とを有している。第２レバー部材２７は、図２及び図８に示すように、リール本体２の前部にスプール軸８と平行な軸回りに揺動自在に装着されている。第２レバー部材２７の基端から揺動中心までの距離は、先端から揺動中心までの距離より２倍以上長い。第２レバー部材２７の先端は、係止孔２５ｃに係止されており、第２レバー部材２７は、第１レバー部材２５と連動して制動解除位置に（図８（ａ））と所定制動位置（図８（ｂ））との間で揺動する。
【００３８】
ここで、制動解除位置あるとき第２レバー部材２７の基端はトグルばね２８により付勢されて係止孔２５ｃの上面に接触し、所定制動位置にあるとき下面に接触する。第２レバー部材２７の途中には、先端が制動円筒４０の周接部４０ａの内周側に配置された圧接部２７ａが設けられている。第２レバー部材２７は、圧接部２７ａの設置部分からさらに折れ曲がって延びており、延びた基端にトグルばね２８が装着されている。圧接部２７ａに対向して制動円筒４０の外周側には、制動シュー５１の先端部が制動円筒４０と間隔をあけて配置されている。制動シュー５１は、基端部がリールボディ２ａの前端面に固定されている。
【００３９】
ここでは、第２位置にある第２操作部２６ａを押し込み操作して第３位置に配置し、第１レバー部材２５を、図５に示す制動解除位置から図６に示す所定制動位置側に揺動させると、それに連動して第２レバー部材２７も制動解除位置から所定制動位置に揺動する。この結果、圧接部２７ａが制動円筒４０を制動シュー５１とで挟持してロータ３の糸繰り出し方向の回転を所定制動状態で制動する。
【００４０】
トグルばね２８は、図２及び図６に示すように、第２レバー部材２７を付勢して第２操作部２６ａを第２位置と第３位置とに振り分けて配置し、その姿勢を保持することができる。トグルばね２８は、第２レバー部材２７の基端に装着された捩じりコイルばねである。トグルばね２８は、一端が第２レバー部材２７の基端に係止され、他端がリールボディ２ａの前端面に係止されている。トグルばね２８は、図６に示すように、第２レバー部材２７が制動解除位置に配置されると、第２レバー部材２７を図８（ａ）の時計回りに付勢し、所定制動位置に配置されると図８（ｂ）の反時計回りに付勢する。これにより、第２レバー部材２７が制動解除位置と所定制動位置とで保持され、さらに第１レバー部材２５が制動解除位置と所定制動位置とに保持される。
【００４１】
ここでは、第２レバー部材２７の基端から揺動中心までの距離が先端から揺動中心までの距離より２倍以上長いので、第１レバー部材２５が揺動すると、その揺動が第２レバー部材２７の基端側で２倍以上の揺動距離となって現れ、トグルばね２８が容易に反転可能になる。
【００４２】
〔リールの動作及び操作〕
キャスティング時にはベールアーム９を糸開放姿勢側に倒し、釣り竿を降り出すことにより、スプール４の外周から釣り糸が繰り出される。糸巻取時には、ハンドル１を糸巻き取り方向に回転させると、ベールアーム９が図示しない戻し機構により糸巻き取り姿勢に戻る。ハンドル１の回転力はハンドル軸１０、マスターギア１１を介してピニオンギア１２に伝達される。ピニオンギア１２に伝達された回転力は、ピニオンギアの前部１２ａを介してロータ３に伝達される。このときロータ３は糸巻き取り方向に回転するので、ワンウェイクラッチ３２の作用によりこの回転力は回転円筒４１には伝達されない。ピニオンギア１２が回転すると図示しない中間ギアによりその回転がオシレーティング機構７に伝達され、スプール軸８が前後方向に往復移動する。
【００４３】
制動レバー２１を何も操作しなければ、制動レバー２１はコイルばね２３により押圧され制動解除位置側に配置される。このとき、補助レバー２２の第２操作部２６ａが第２位置に配置されていると、図５、図８（ａ）に示すように、圧接部２１ｄ及び圧接部２７ａが制動円筒４０から離反し、ロータ３は制動解除状態になる。
【００４４】
ロータ３を逆転させて魚とやりとりする時には、制動レバー２１の第１操作部２１ｃを例えば人差し指により装着部２ｃ側に引き込み操作して制動力を調整する。
【００４５】
釣り糸が魚により引かれてロータ３が糸繰り出し方向に逆転すると、その回転力がワンウェイクラッチ３２を介して回転円筒４１に伝達され、さらに制動円筒４０に伝達される。この結果、制動円筒４０がロータ３と一体で回転する。制動レバー２１の第１操作部２１ｃを装着部２ｃに接近する方向に引き込み操作すると、たとえ第２レバー部材２７が所定制動位置にあっても、図７に示すように、制動操作部２１ａが操作部材２６の係止部２６ｃを装着部２ｃに接近する方向に押圧し、補助レバー２２が制動レバー２１に連動して所定制動位置から制動解除位置側に揺動する。この結果、補助レバー２２による所定制動状態が一旦解除される。このとき、トグルばね２８が、第２レバー部材２７の揺動により反転し、第２レバー部材２７が制動解除位置側に付勢され、第１レバー部材２５が制動解除位置側で保持される（図８（ａ））。
【００４６】
この状態でさらに制動レバー２１を装着部２ｃに接近する方向に操作すると、図７に示すように、制動レバー２１の圧接部２１ｄが制動円筒４０の周接部４０ａを径方向外方に強く押圧し、制動円筒４０を傾け、周接部４０ａの外面が制動シュー４２ａに圧接する。この制動力は制動レバー２１に加える力を加減することにより調整でき、ロータ３の逆転量を任意に調整できる。この結果、制動レバー２１の操作力に応じた制動力がロータ３に付与される。このように、所定制動状態の解除を忘れても、制動レバー２１を引き込み操作するだけで、所定制動状態を解除できる。
【００４７】
釣り場を移動する時やリールを収納する時には、第１操作部２１ｃから手を離した状態で、補助レバー２２の第２操作部２６ａ又は第３操作部２６ｂを装着部２ｃから離反する方向に押し込み操作する。すると、図６及び図８（ｂ）に示すように、補助レバー２２が制動解除位置から所定制動位置に揺動し、第２レバー部材２７が制動解除位置から所定制動位置に揺動し、トグルばね２８によりその位置で保持される。この所定制動位置では、第３操作部２６ｂの係止部２６ｃが制動操作部２１ａの開口２１ｅにほぼ接触する。また、制動円筒４０の周接部４０ａの外周面が圧接部２７ａにより径方向外方に押圧されてロータ３が制動シュー５１とで挟持され、所定の制動力で制動される。この結果、釣り場を移動するときなリールを収納するときに、仕掛けの重さなどにより釣り用リールが不意にスプール４から繰り出されることがなくなる。
【００４８】
さらに、仕掛けの垂らし長さを変更するためや、魚に当たりがあった時に魚に仕掛けを確実に食い込ませるために、ロータ３を所定制動状態から制動解除状態にしたい場合には、制動レバー２１を僅かに装着部２ｃに接近する方向に操作すればよい。すると、前述した図６に示すように、制動レバー２１により第２操作部２６ａが押圧されて補助レバー２２が制動解除位置側に揺動する。この結果、所定制動状態がいったん解除される。もちろん、第２操作部２６ａを引き込み操作しても所定制動状態を解除できる。
【００４９】
ここでは、制動レバー２１ではなく、別に設けられた補助レバー２２を装着部２ｃから離反する方向に操作することにより所定制動機構２４を制動解除状態から所定制動状態に切り換えできるので、回転規制操作を行う際に必要なストロークを制動レバーの操作ストローク以下にすることができる。このため、制動レバー２１の操作ストロークを増やすことなく片手でロータ３の回転規制操作を簡単に行えるようになる。しかも制動による規制を加えているだけであるので、所定制動状態で大きな負荷が作用しても釣り糸が切れにくくなる。また、所定制動状態のとき、制動レバー２１の引き込み操作と連動して補助レバー２２が揺動するように構成したので、第２規制状態から第１規制状態への切換操作を制動レバー２１で行える。このため、規制解除操作が容易になる。
【００５０】
また、制動解除状態と所定制動状態とで２つのレバー２１，２２の位置関係が異なるので、ロータ３が制動解除状態にあるのか所定制動状態にあるのかを瞬時に判別できる。とくに、たとえば補助レバーの操作部材２６の側面を色付けして制動解除位置にあるときその色が見え、所定制動位置にあるとき見えないようにすれば、ロータ３の状態判別をより瞬時に行いやすくなる。
【００５１】
さらに、第１操作部２１ｃと第２操作部２６ａとを装着部２ｃと接離する方向に対向して配置しているので、同じ指の押し込み操作と引き込み操作とで制動操作と規制切換操作とを行うことができる。このように、制動操作と同じ指で規制切換操作を行えるので、他の指を釣り竿から離す必要がなくなり、円滑に規制切換操作を行えるようになる。また、第２位置や第３位置に第２操作部を配置すると位置保持手段により手を離してもその位置で保持されるので、規制状態を持続できる。
【００５２】
さらにまた、補助レバー２２の先端部分の第２操作部２６ａを制動レバー２１に設けた開口２１ｇで囲んでいるので、ベールアーム９で糸ふけが生じたりキャスティング時に釣り糸が制動レバー２１に接触したりしても、補助レバー２２と制動レバー２１との隙間に釣り糸が噛み込みこむ、いわゆる糸カミが生じにくくなる。
【００５３】
〔実施形態２〕
前記実施形態１では、ロータ３の糸繰り出し方向の規制をレバーブレーキ機構６によって行ったが、図９に示すように、補助レバー９２と連動して動作する逆転防止機構８０を設けてロータ３の逆転を禁止する規制を行ってもよい。この場合には、逆転防止機構８０を逆転禁止状態にすることにより、根掛かりしたときに釣り糸を確実に切ることができる。
【００５４】
図９において、実施形態１と同様に、制動レバー２１は、図９に示す制動解除位置から装着部２ｃと接近する方向に揺動する。コイルばね２３は、制動レバー２１を制動解除位置に保持し、制動レバー２１が制動解除位置から装着部２ｃに接近すると制動解除位置に向けて付勢する。
【００５５】
補助レバー９２は、実施形態１と逆に図９左側に並べて配置されている。補助レバー９２は、逆転許可位置と逆転禁止位置との間で揺動する。補助レバー９２は、制動レバー２１と並べて配置されるレバー部材９５と、開口２１ｅから上方に突出する第３操作部２６ｂ及び開口２１ｇから前方に突出する第２操作部２６ａを有する操作部材９６とを有している。レバー部材９５は、基端部９５ａが制動部２０の後方で制動円筒４０より内側に位置している。このレバー部材９５の基端部９５ａに逆転防止機構の逆転禁止爪８２が係止されている。
【００５６】
逆転防止機構８０は、補助レバー９２の逆転解除位置から装着部２ｃから離反する逆転禁止位置への操作により逆転禁止状態になる。逆転防止機構８０は、ピニオンギア１２と一体形成された逆転禁止ホイール８１と、逆転禁止ホイール８１に接離自在な逆転禁止爪８２とを有している。
【００５７】
逆転禁止ホイール８１は、外周部に周方向に間隔を隔てて配置された略鋸歯状の多数の歯部８１ａを有している。歯部８１ａの糸繰り出し方向下流側面は上流側面に比べて径方向に沿って形成されている。これにより、逆転禁止ホイール８１は、逆転禁止爪８２により糸繰り出し方向の回転のみ禁止され得る。
【００５８】
逆転禁止爪８２は、２点鎖線で示す逆転禁止姿勢と実線で示す逆転許可姿勢とに揺動自在にリール本体２の前部に装着されている。逆転禁止爪８２は、トグルばね８３により逆転禁止姿勢と逆転許可姿勢とに振り分けて付勢されている。逆転禁止爪８２は基端部がトグルばね８３に係止され、中間部がリール本体２に揺動自在に支持されている。また、先端部は二股に分かれた１対の係止部８２ａ，８２ｂを有している。
【００５９】
１対の係止部８２ａ，８２ｂの間には、レバー部材９５の基端部が配置されている。レバー部材９５の基端部９５ａは、逆転禁止爪８２が逆転許可姿勢にあるとき、係止部８２ａ，８２ｂのいずれにも接触しない位置に配置されている。補助レバー９２が装着部２ｃと離反する方向に逆転許可位置から逆転禁止位置に向けて操作されると、基端部９５ａは、係止部８２ｂに接触して逆転禁止爪８２を逆転禁止姿勢に向けて押圧する。逆転禁止爪８２は、逆転禁止姿勢になると、下側の係止部８２ｂの先端が逆転禁止ホイール８１の歯部８１ａの回転方向下流側面に当接して逆転禁止ホイール８１、すなわちピニオンギア１２の糸繰り出し方向の回転を禁止し、ピニオンギア１２に固定されたロータ３の糸繰り出し方向の回転を禁止する。また、逆転禁止爪８２が逆転禁止姿勢になると、斜めに配置された係止部８２ｂに基端部９５ａが接触し、補助レバー９２は、逆転禁止爪８２により逆転許可位置から下方の逆転禁止位置に揺動した姿勢で保持される。この状態で制動レバー２１が制動解除位置から装着部２ｃに向けて操作されると、実施形態１と同様に補助レバー９２が制動レバー２１に連動して揺動し、逆転禁止爪８２を逆転許可姿勢に戻す。
【００６０】
〔リールの動作及び操作〕
制動レバー９１を何も操作しなければ、制動レバー２１はコイルばね２３により押圧され制動解除位置に配置される。
【００６１】
ロータ３を逆転させて魚とやりとりする時には、制動レバー２１の第１操作部２１ｃを例えば人差し指の腹により装着部２ｃ側に引き込み操作し魚とのやりとりを行う。
【００６２】
釣り糸が魚により引かれてロータ３が糸繰り出し方向に逆転すると、その回転力がワンウェイクラッチ３２を介して回転円筒４１に伝達され、さらに制動円筒４０に伝達される。この結果、制動円筒４０がロータ３と一体で回転する。この状態で制動レバー２１の第１操作部２１ｃを装着部２ｃに接近する方向に制動解除位置から引き込み操作すると、制動レバー２１の圧接部２１ｄが制動円筒４０の周接部４０ａを径方向外方に強く押圧し、制動円筒４０を傾け、周接部４０ａの外面が制動シュー４２ａに圧接する。このとき、逆転防止爪８２は、制動レバー２１と隙間をあけて配置された補助レバー９２に係止されているので、逆転防止爪８２は揺動しない。この引き込み操作時の制動力は制動レバー２１に加える力を加減することにより調整でき、ロータ３の逆転量を任意に調整できる。この結果、制動レバー２１の操作力に応じた制動力がロータ３に付与される。制動レバー２１に力を入れるのを止めると、制動レバー９１はコイルばね２３により制動解除位置に戻され、ロータ３は制動解除状態になる。
【００６３】
また、補助レバー９２の第２操作部９６ａ又は第３操作部９６ｂを装着部２ｃから離反する方向に逆転許可位置から押し込み操作すると、基端部９５ａが逆転防止爪８２の係止部８２ｂを押圧して逆転防止爪８２が図９の時計回りに揺動する。このときトグルばね８３の死点を超えると逆転禁止爪８２は逆転禁止姿勢側に付勢され、逆転防止爪８２が逆転禁止姿勢になる。この結果、係止部８２ｂの先端が逆転禁止ホイール８１の歯部８１ａに接触してロータ３の逆転が禁止される。なお、トグルばね８３の死点は、ロータ３が糸巻取方向に回転して逆転禁止ホイール８１の歯部８１ａが逆転禁止爪８２を押しても逆転禁止爪８２を逆転禁止姿勢に付勢しない位置にセットされている。
【００６４】
逆転防止機構８０を逆転許可状態にするには、制動レバー２１を制動解除位置から僅かに装着部２ｃに接近する方向に引き込み操作すればよい。制動レバー２１を引き込み操作すると、逆転禁止位置にある補助レバー９２が制動レバー２１に係止されて逆転許可位置側に揺動する。この結果、レバー部材９５の基端部９５ａが係止部８２ａを押圧して逆転禁止爪８２を逆転許可姿勢側に戻す。このとき、トグルばね８３の死点を超えると逆転禁止爪８２は、逆転許可姿勢側に付勢されその位置に保持される。
【００６５】
ここでも、開口２１ｇを設けて底を貫通して第２操作部９６ａが突出しているので、制動レバー２１と補助レバー９２との間で糸カミが生じにくくなる。
【００６６】
〔他の実施形態〕
（ａ）  前記２つの実施形態では、制動レバー２１に開口２１ｇを直接形成したが、図１０に示すように、Ｕ字状部材９７を制動レバー２１の先端下部に設けた溝部２１ｉに被せて固定し、開口２１ｇを形成してもよい。
【００６７】
（ｂ）  前記実施形態では、制動レバー２１や補助レバー２２，９２をリール本体２に揺動自在に装着したが、装着部２ｃに接離する方向に移動するのであれば直線移動するようにしてもよい。
【００６８】
（ｃ）  前記実施形態では、補助レバーの押し込み操作により規制が強くなる方向に操作したが、規制が弱くなるように操作してもよい。すなわち、補助レバーの押し込み操作により、所定制動状態から制動解除状態にしたり、逆転禁止状態から逆転許可状態にしたりしてもよい。
【００６９】
（ｄ）  前記実施形態では、補助レバーを制動レバーと連動させたが、それぞれ独立して動作するようにしてもよい。
【００７０】
（ｅ）  前記実施形態では、制動レバーに開口２１ｇを形成したが、補助レバー２２に開口を設け、制動レバーを補助レバーの開口内を貫通させるようにしてもよい。
【００７１】
【発明の効果】
本発明に係るスピニングリールでは、規制操作に要するストロークと制動操作に要するストロークとが別になり、全体のストロークを小さくすることができ、制動操作と回転規制操作を簡単に行える。また、この規制レバーの先端より基端側が制動レバーと並べて配置され、かつ規制レバー及び制動レバーのいずれか一方の一部が他方で囲まれた状態であるので、制動レバーと規制レバーとの間に隙間が生じても囲まれた部分より基端側に釣り糸が入らなくなる。このため、釣り糸が両レバーの隙間に噛み込む糸カミが生じにくくなる。
【図面の簡単な説明】
【図１】  本発明の実施形態１によるスピニングリールの側面断面図。
【図２】  図１のII−II断面図。
【図３】  図１のIII−III断面図。
【図４】  スピニングリールの正面部分図。
【図５】  制動解除状態の各レバーと制動円筒の状態を示す断面模式図。
【図６】  所定制動状態の各レバーと制動円筒の状態を示す断面模式図。
【図７】  制動状態における各レバーと制動円筒の状態を示す断面模式図。
【図８】  制動解除状態と所定制動状態での第２レバー部材の動作を示す模式図。
【図９】  実施形態２の図２に相当する図。
【図１０】  他の実施形態の図４に相当する図。
【符号の説明】
２  リール本体
２ａ  リールボディ
２ｃ  装着部
３  ロータ
６  レバーブレーキ機構
２０  制動部
２１  制動レバー
２１ａ  操作部
２１ｂ  制動作用部
２１ｃ  第１操作部
２１ｅ  開口（第２開口）
２１ｇ  開口（第１開口）
２２  補助レバー
２３  コイルばね
２４  所定制動機構
２５  第１レバー部材
２６  操作部材
２６ａ，９６ａ  第２操作部
２６ｂ，９６ｂ  第３操作部
２７  第２レバー部材
４０  制動円筒
８０  逆転防止機構
９７  Ｕ字状部材
【図１】
0004785281.tif 000002
【図２】
0004785281.tif 000003
【図３】
0004785281.tif 000004
【図４】
0004785281.tif 000005
【図５】
0004785281.tif 000006
【図６】
0004785281.tif 000007
【図７】
0004785281.tif 000008
【図８】
0004785281.tif 000009
【図９】
0004785281.tif 000010
【図１０】
0004785281.tif 000011